(57)【特許請求の範囲】
【請求項１】
包装体の取り出し口を開閉自在に閉塞すべく包装体に剥離可能且つ再貼着可能に貼着され、貼着状態で取り出し口を覆うと共に、蓋用ラベルの一端側を始端側とし蓋用ラベルの他端側を終端側として剥離されて取り出し口を開放する開閉部と、該開閉部を支持する支持部とを備え、開閉部と支持部とを区画するためのストッパー用切り込み線が形成され、該ストッパー用切り込み線は、蓋用ラベルの一端側からストッパー用切り込み線において最も蓋用ラベルの他端側の位置である最下流点まで延びる順路部と、前記最下流点から蓋用ラベルの一端側に向けてストッパー用切り込み線の終点まで延びる戻り部とを有し、
戻り部から蓋用ラベルの他端側の縁部まで切離するための切離線が形成されており、切離線の始点は、戻り部のうち、前記最下流点よりもストッパ用切り込み線の終点側の箇所に位置していて、切離線は、戻り部と連続しており、切離線は、蓋用ラベルの一端側から他端側に向けて幅方向外側に傾斜していることを特徴とする蓋用ラベル。
【請求項２】
戻り部は、最下流点から蓋用ラベルの一端側に向けて弧を描きつつ延びる弧状部と、該弧状部の終点から蓋用ラベルの一端側に向けて直線状に延びる直線状部とを備え、切離線の始点は戻り部の直線状部に位置している請求項１記載の蓋用ラベル。
【請求項３】
開閉部の剥離方向の終端近傍に、接着力が相対的に小さい弱接着部が設けられている請求項１又は２記載の蓋用ラベル。
【請求項４】
請求項１乃至３の何れかに記載の蓋用ラベルが貼着されていることを特徴とする包装体。
【発明の詳細な説明】
【技術分野】
【０００１】
本発明は、包装体の内容物取り出し口を開閉自在に閉塞するための蓋用ラベルと、それを備えた包装体に関する。
【背景技術】
【０００２】
例えば、ウェットティッシュが収容されたウェットティッシュ包装体においては、その包装体の一面にウェットティッシュを袋から取り出すための取り出し口が設けられ、その取り出し口を開閉自在に閉塞するための蓋用ラベルが貼着されている。そして、内容物であるウェットティッシュを取り出すにあたっては、蓋用ラベルを包装体から完全に剥離するのではなくその一端側から他端側に向けて途中まで剥離して取り出し口を表出させ、取り出し口からウェットティッシュを取り出した後、開いている蓋用ラベルを再び包装体に貼着して取り出し口を密封する。このように、蓋用ラベルによって取り出し口を繰り返し開閉できるため、この種の包装体は携帯用に適している。
【０００３】
一方、室内において専用の密封ケースに上記包装体を入れる場合には、取り出し口を常時開口状態にしておくことから蓋用ラベルは不要であって、逆に蓋用ラベルの存在がケースから内容物を取り出す際の邪魔にもなる。そのため、上記包装体をケースに入れる場合には、蓋用ラベルを除去して取り出し口を開放させた状態とする。
【０００４】
このように、一つの包装体を主に携帯用としてそのまま使用する場合とケースに収容して使用する場合とがある。従って、蓋用ラベルにはこのような二つの用途に適用するための工夫が施されることがある。
【０００５】
例えば、下記特許文献１では、蓋用ラベルをその一端側から剥離した際に、途中で剥離を止めるためのストッパー用切り込み線を形成し、他端側にも摘み部を設けて、ケースに包装体を収容する際には蓋用ラベルをその他端側から全剥離するようにしている。また、下記特許文献２では、包装体をケースに入れずにそのまま使用する場合には、一端側から他端側に向けて途中まで蓋用ラベルを剥離する一方、ケースに包装体を収容する場合には、蓋用ラベルの中央部分を逆向きに他端側から一端側に向けて切離除去するようにしている。しかしながら、これらの構成では、包装体をケースに入れずにそのまま使用する場合とケースに入れて使用する場合とで、蓋用ラベルを剥離する方向が逆であって操作が紛らわしいという問題がある。
【０００６】
一方、下記特許文献３，４では、蓋用ラベルの両側縁にそれぞれ形成したストッパー用切り込み線同士をつなぐように、開閉方向と直交する方向に沿って切離用ミシン目を形成して、ケースに包装体を入れる場合には、切離用ミシン目によって蓋用ラベルの大部分を剥離除去するようにしている。しかしながら、蓋用ラベルを開閉する方向に対して切離用ミシン目が直交する方向に沿っているために、蓋用ラベルを開閉方向に対して直交する方向に引っ張って切離除去する必要がある。即ち、包装体をケースに入れる場合には、蓋用ラベルを途中まで剥離したうえで更に蓋用ラベルを引っ張る方向を９０度変えて切離除去する必要があり、やはりケースに入れて使用する場合における操作が煩雑であるという問題がある。
【先行技術文献】
【特許文献】
【０００７】
【特許文献１】特許第３５５３２３９号公報
【特許文献２】特許第４０１８０６７号公報
【特許文献３】実開平７−６１８４号公報
【特許文献４】特許第３９１６２９６号公報
【発明の概要】
【発明が解決しようとする課題】
【０００８】
それゆえに本発明は上記従来の問題点に鑑みてなされ、包装体をケースに入れずにそのまま使用する使用形態と包装体をケースに入れて使用する使用形態の何れにも対応可能であって、且つ、使い方がシンプルでわかりやすい蓋用ラベルとそれを備えた包装体を提供することを課題とする。
【課題を解決するための手段】
【０００９】
本発明は、上記課題を解決すべくなされたものであって、本発明に係る蓋用ラベルは、包装体の取り出し口を開閉自在に閉塞すべく包装体に剥離可能且つ再貼着可能に貼着され、貼着状態で取り出し口を覆うと共に、蓋用ラベルの一端側を始端側とし蓋用ラベルの他端側を終端側として剥離されて取り出し口を開放する開閉部と、該開閉部を支持する支持部とを備え、開閉部と支持部とを区画するためのストッパー用切り込み線が形成され、該ストッパー用切り込み線は、蓋用ラベルの一端側からストッパー用切り込み線において最も蓋用ラベルの他端側の位置である最下流点まで延びる順路部と、前記最下流点から蓋用ラベルの一端側に向けてストッパー用切り込み線の終点まで延びる戻り部とを有し、戻り部から蓋用ラベルの他端側の縁部まで切離するための切離線が形成されており、切離線の始点は、戻り部のうち、前記最下流点よりもストッパ用切り込み線の終点側の箇所に位置していて、切離線は、戻り部と連続しており、切離線は、蓋用ラベルの一端側から他端側に向けて幅方向外側に傾斜していることを特徴とする。
【００１０】
該構成の蓋用ラベルは、包装体の取り出し口を開閉自在に閉塞すべく包装体に剥離可能且つ再貼着可能に貼着される。そして、包装体をケースに入れずにそのまま使用する場合には、蓋用ラベルの一部を蓋用ラベルの一端側から他端側に向けて剥離させる。即ち、蓋用ラベルの開閉部を、蓋用ラベルの一端側を始端側とし蓋用ラベルの他端側を終端側として剥離して取り出し口を開口させる。その際、ストッパー用切り込み線が形成されていると共にそれが戻り部を備えているので、蓋用ラベルの剥離は途中で確実に停止する。即ち、蓋用ラベルの支持部は包装体に貼着された状態のままで、蓋用ラベルの開閉部のみを剥離操作して取り出し口を開口させることができる。そして、取り出し口から内容物を取り出した後、開閉部を再び包装体に貼着することで取り出し口を閉じることができる。このように開閉部のみを包装体から剥離、再貼着することで取り出し口を繰り返し開閉させることができる。
【００１１】
一方、包装体をケースに入れて使用する場合には、包装体をケースに入れずにそのまま使用する場合と同様に、蓋用ラベルの開閉部を蓋用ラベルの一端側から他端側に向けて剥離していく。ストッパー用切り込み線が形成されていてそれが戻り部を備えているので、開閉部の剥離はその剥離方向の終端で停止するが、そこから更に力を入れて開閉部を強く剥離方向即ち蓋用ラベルの他端側に引っ張ると切離線が戻り部側から切離し始めて、やがて蓋用ラベルの他端側の縁部まで完全に切離する。即ち、蓋用ラベルは支持部の一部を残して包装体から完全に分離する。このように、包装体をケースに入れて使用する場合においても、包装体をケースに入れずにそのまま使用する場合と同じ方向に蓋用ラベルを剥離操作すればよく、使用者は、剥離する向きを気にする必要がない。
【００１２】
特に、開閉部の剥離方向の終端近傍に、接着力が相対的に小さい弱接着部が設けられていることが好ましい。尚、弱接着部は、接着力が他の部分よりも小さければよく、事実上接着力がなくてもよい。開閉部の剥離方向の終端近傍に弱接着部が設けられていると、包装体をケースに入れずにそのまま使用する場合には、開閉部を引っ張って包装体から剥離していくとき、剥離方向の終端近傍で剥離するために要する力がそれまでよりも小さくなる。従って、使用者は、剥離に必要な力が小さくなったことを感じることで、引っ張る力を弱めることができ、開閉部を勢い良く強引に引っ張り続けて不用意に切離線を切離するということが防止される。
【００１３】
本発明に係る包装体は、上述した蓋用ラベルが貼着されていることを特徴とする。
【発明の効果】
【００１４】
以上のように、本発明に係る蓋用ラベルは、包装体をケースに入れずにそのまま使用する使用形態と包装体をケースに入れて使用する使用形態の何れにも対応可能である。しかも、両使用形態において蓋用ラベルを剥離する方向が同じであるので、使用者は剥離する向きを考慮する必要がなく、使い方はシンプルでわかりやすい。
【図面の簡単な説明】
【００１５】
【図１】本発明の一実施形態における包装体を示す斜視図。
【図２】同包装体に使用される蓋用ラベルの正面図。
【図３】同蓋用ラベルの要部拡大図。
【図４】同包装体の使用状態を示す斜視図。
【図５】同包装体の使用状態を示す斜視図。
【図６】本発明の他の実施形態における蓋用ラベルを示す要部正面図。
【図７】本発明の他の実施形態における蓋用ラベルを示す要部正面図。
【図８】同蓋用ラベルの要部拡大図。
【図９】本発明の他の実施形態における蓋用ラベルを示す要部正面図。
【図１０】本発明の他の実施形態における蓋用ラベルを示す要部正面図。
【図１１】本発明の他の実施形態における蓋用ラベルを示す正面図。
【図１２】本発明の他の実施形態における蓋用ラベルを示す正面図。
【発明を実施するための形態】
【００１６】
以下、本発明の一実施形態に係る包装体とそれに使用される蓋用ラベルについて図１〜図５を参酌しつつ説明する。図１に示す包装体１は、各種の被包装物が軟質包装材によってピロー包装等により包装された軟包体である。包装形態や種類、形状等は特には限定されないが、一例としては、ウエットティッシュが柔軟な包装袋によって密封包装されたウエットティッシュ包装体１が挙げられる。ウエットティッシュ包装体１の場合、内容物であるウエットティッシュ（ウエットシート）が略矩形に形成されて多数枚積層された状態で収容されており、従って、ウエットティッシュの積層体は略直方体形状であって、それがピロー包装されて形成された包装体１もまた略直方体形状となる。
【００１７】
従って、包装体１は略長方形の上面２とそれと対向した底面と、二対の側面３，４とを有している。二対の側面３，４のうち、一方は略長方形の上面２及び底面の長辺側に位置し他方は短辺側に位置する。短辺側の両側面３にはそれぞれ横シール部５が形成され、該横シール部５は側方に突出した状態にある。そして、包装体１の一面、具体的には上面２には内容物を取り出すための取り出し口６が形成されていて、その取り出し口６を再封可能に閉塞するための蓋用ラベル７が剥離可能且つ再貼着可能に貼着されている。取り出し口６は包装体１の上面２に予め設けられていてもよいし、上面２の略中央部における包装袋１に例えば円形状や楕円形状、矩形状、コの字状等の切り込み線が取り出し口６として形成され、蓋用ラベル７を剥離することによって切り込み線で囲まれた内側領域が蓋用ラベル７に貼着しつつ包装袋１から切離して切り込み線の形状に対応した取り出し口６が開口する構成であってもよい。尚、図示しないが、包装体１の底面には背貼り部（センターシール部）が形成されている。
【００１８】
取り出し口６の位置は好ましくは上面２の中央部である。また、取り出し口６の形状は任意であるが、包装体１の上面２が長方形であるためその長辺に沿って長い形状とすることが好ましい。蓋用ラベル７の形状は取り出し口６を覆うことができるものであればよいが、代表的には取り出し口６の形状に対応したものとされる。従って、蓋用ラベル７もまた包装体１の上面２の長辺に沿って長い形状とされ、例えば長円形とされ、その長手方向が剥離方向とされる。
【００１９】
図２に蓋用ラベル７の概要を正面図で示している。蓋用ラベル７は、貼着状態で取り出し口６を覆うと共に、蓋用ラベル７の一端側を始端とし蓋用ラベル７の他端側を終端として剥離されて取り出し口６を開口させる開閉部１０と、該開閉部１０を支持する支持部１１とを備えている。本実施形態では、蓋用ラベル７の一端側に開閉部１０が位置し他端側に支持部１１が位置している。そして、その境界付近に、蓋用ラベル７の剥離を止めるためのストッパー用切り込み線１２が形成されている。即ち、蓋用ラベル７は、開閉部１０と支持部１１とからなり、その両部分を互いに区画するようにストッパー用切り込み線１２が形成されている。
【００２０】
図１及び図２に示している矢印Ａは蓋用ラベル７の剥離方向を示している。後述する図６等においても矢印Ａで蓋用ラベル７の剥離方向を示している。上述したように剥離方向は蓋用ラベル７の長手方向と一致しており、図中向かって右側である蓋用ラベル７の一端側が剥離方向の始端側となり、同じく向かって左側である蓋用ラベル７の他端側が剥離方向の終端側となる。従って、開閉部１０は剥離方向の始端側に位置し、支持部１１は剥離方向の終端側に位置している。開閉部１０は、蓋用ラベル７の大部分の面積を占めていて取り出し口６を完全に覆ってそれを閉塞できる程度の大きさを有しており、その略中央部に取り出し口６が位置するように包装体１に貼着される。そして、その開閉部１０を剥離、再貼着するように支持部１１を支点として上下に回動させることにより、取り出し口６を閉じたり開いたりすることができる。蓋用ラベル７の一端即ち開閉部１０の剥離方向の始端には、摘み部１３が設けられている。該摘み部１３は蓋用ラベル７の一端側の一領域の裏面を非接着部１４とすることにより構成されており、摘み部１３を摘むことで容易に剥離操作を開始できる。尚、非接着部１４は非常に小さい力で剥離する弱接着のものも含む。また、図２に二点鎖線で示しているように摘み部１３を剥離方向の始端側に向けて突出した形状としてもよく、その場合には、突出した摘み部１３の裏面のみを非接着部１４としてもよい。尚、使用状態を示している図４及び図５において摘み部１３は裏面側から見た状態となっているが、そこでは摘み部１３の裏面の非接着部１４にはクロスハッチングを施している。また、図２及び図３において二点鎖線で示している仮想線１５は、開閉部１０と支持部１１との間の仮想的な境界線であって蓋用ラベル７の幅方向に沿って延びており、開閉部１０の剥離方向の終端となっている。
【００２１】
ストッパー用切り込み線１２は、蓋用ラベル７の両側縁にそれぞれ形成されていて、開閉部１０と支持部１１とを区画するように形成されている。両ストッパー用切り込み線１２は、互いに対称形状である。ストッパー用切り込み線１２は、具体的には、図３に示しているように、蓋用ラベル７の側縁の所定位置を始点としてそこから蓋用ラベル７の内側に向けて延びており、その始点から全体として蓋用ラベル７の他端側に延びる順路部と、全体として蓋用ラベル７の一端側に戻る戻り部１２ａとから構成されている。順路部と戻り部１２ａとの境界点は、ストッパー用切り込み線１２において最も蓋用ラベル７の他端側に位置する、即ち、剥離方向の終端側に位置する箇所であり、その点を最下流点２０と称することにすると、順路部は、ストッパー用切り込み線１２の始点から最下流点２０までの部分であり、戻り部１２ａは、最下流点２０からストッパー用切り込み線１２の終点までの部分である。また、戻り部１２ａは、順路部に対してその蓋用ラベル７の側縁に近い外側に位置している。尚、二つの最下流点２０同士を結んだ直線が上述した仮想線１５である。
【００２２】
より詳細には、ストッパー用切り込み線１２は、始点から蓋用ラベル７の内側且つ他端側に向けて傾斜して延びる傾斜状部２１と、該傾斜状部２１の終点から蓋用ラベル７の他端側に向けて剥離方向と略平行に直線状に延びる第一の直線状部２２と、該第一の直線状部２２の終点から最下流点２０まで蓋用ラベル７の他端側且つ側縁側に向けて弧を描きつつ延びる第一の弧状部２３と、最下流点２０から蓋用ラベル７の側縁側且つ一端側に向けて弧を描きつつ延びる第二の弧状部２４と、該第二の弧状部２４の終点から蓋用ラベル７の一端側に向けて剥離方向と略平行に直線状に延びる第二の直線状部２５とから構成されている。傾斜状部２１は例えば４５度程度の傾斜角度で蓋用ラベル７の内側且つ他端側に向けて傾斜して延びていて、ストッパー用切り込み線１２の主要部分を構成している。傾斜状部２１の終点は例えば蓋用ラベル７の全幅の略１／３程度のところに位置するが、この位置は一例であって種々であってよい。第一の直線状部２２は、内側の直線状部であって、傾斜状部２１よりも短いが、この長さも種々変更してよい。第一の弧状部２３と第二の弧状部２４は最下流点２０を頂点として互いに連続していて代表的には円弧であり、例えばそれぞれ１／４円とされて二つ合わせて半円とされる。但し、第一の弧状部２３や第二の弧状部２４は、楕円弧等であってもよい。第二の直線状部２５は、外側の直線状部であって、第一の直線状部２２とは互いに平行関係にある。第二の直線状部２５の長さも任意であるが、例えば、第一の直線状部２２よりも短くすることが好ましい。傾斜状部２１と第一の直線状部２２と第一の弧状部２３とから順路部が構成され、第二の弧状部２４と第二の直線状部２５とから戻り部１２ａが構成されている。また、上述したように、二つのストッパー用切り込み線１２は互いに対称関係にあるため、順路部において、開閉部１０の幅は、傾斜状部２１では剥離方向に沿って徐々に狭くなっていき、第一の直線状部２２では略一定であり、第一の弧状部２３では剥離方向に沿って急激に広がっていく。
【００２３】
蓋用ラベル７には、戻り部１２ａから蓋用ラベル７の他端側の縁部まで、蓋用ラベル７を切離するための切離線３０が形成されている。該切離線３０は、ストッパー用切り込み線１２の戻り部１２ａから蓋用ラベル７の他端側の縁部まで形成されている。切離線３０の形状、構成は種々であってよいが、本実施形態では切断部３１と非切断部とが交互に形成されたミシン目であって、ストッパー用切り込み線１２の戻り部１２ａと連続していてそれとつながっていると共に蓋用ラベル７の縁部ともつながっている。図３に符号３０ａで示している箇所が切離線３０の始点であって、符号３０ｂで示している箇所が切離線３０の終点であるが、切離線３０の始点３０ａはストッパー用切り込み線１２の戻り部１２ａに位置していて、切離線３０の終点３０ｂは蓋用ラベル７の縁部に位置している。切離線３０の始点３０ａに対して終点３０ｂは、蓋用ラベル７の他端側に位置すると共に蓋用ラベル７の幅方向外側に位置しており、従って、切離線３０は全体として蓋用ラベル７の一端側から他端側に向けて幅方向外側に傾斜して延びている。尚、切離線３０の始点３０ａはストッパー用切り込み線１２の戻り部１２ａから若干離れてそれとは不連続になっていてもよく、また、切離線３０の終点３０ｂは蓋用ラベル７の縁部から若干離れて不連続の関係になっていてもよい。
【００２４】
切離線３０は、より詳細には、戻り部１２ａのうちの第二の直線状部２５から始まっている。即ち、切離線３０の始点３０ａは戻り部１２ａの第二の直線状部２５に位置している。切離線３０は、その始点３０ａと終点３０ｂとの間を直線状に結ぶように形成されていてもよいが、本実施形態では、ミシン目を構成している切断部３１が始点３０ａと終点３０ｂとを結ぶ仮想線に対して斜めに傾斜した構成となっている。切離線３０は複数の切断部３１を有しているが、そのうち最も始点３０ａ側に位置する切断部３１は戻り部１２ａの第二の直線状部２５とつながっていてその第二の直線状部２５から蓋用ラベル７の他端側且つ幅方向外側に向けて傾斜して延びている。尚、全ての切断部３１は互いに平行に形成することが好ましい。また、最も終点３０ｂ側に位置する切断部３１は、蓋用ラベル７の縁部に達している。更に、最も終点３０ｂ側に位置する切断部３１を除く他の切断部３１はその蓋用ラベル７の幅方向外側の端部から蓋用ラベル７の他端側に向けて延びる誘導部３２を有していて、全体としてへの字状に折れ曲がった形状となっている。誘導部３２の剥離方向の延長線上には、次の切断部３１が傾斜して存在している。このように切断部３１が蓋用ラベル７の他端側に向かう誘導部３２を有していると、その誘導部３２から次の切断部３１へと容易に蓋用ラベル７の破断ラインが到達してスムーズに切離できる。
【００２５】
このような蓋用ラベル７の裏面は、剥離可能且つ再貼着可能な接着部１６と、非接着部１４とに区画され、摘み部１３の裏面が非接着部１４とされる。上述したように非接着部１４には非常に小さい力で剥離する弱接着の状態を含むものとする。
【００２６】
ここで、蓋用ラベル７は、ラベル基材と該ラベル基材の裏面に積層された接着剤層とを有する。ラベル基材は、柔軟なシートであればその材質等は特には限定されず、種々の公知のものを用いることができる。ラベル基材としては、例えば、紙、不織布、合成紙、プラスチックフィルム等が挙げられ、単層構造であってもよいし、二層以上の多層構造であってもよい。特に、機械的強度に優れていて柔軟性も併せ持つことから、合成紙若しくはプラスチックフィルムの単層、又は合成紙若しくはプラスチックフィルムを含む積層体が好ましい。また、プラスチックフィルムとしては、例えばポリエチレンテレフタレートやポリ乳酸などのエステル系樹脂、ポリプロピレン等のオレフィン系樹脂、スチレン−ブタジエン共重合体等のスチレン系樹脂、環状オレフィン系樹脂、塩化ビニル系樹脂等の熱可塑性樹脂を含む延伸フィルム等を用いることができ、その中でも機械的強度に優れることから、これらの二軸延伸フィルムを用いることが好ましい。ポリプロピレンフィルムを使用することも好ましい。ラベル基材の厚さも特には限定されないが、合成紙又はプラスチックフィルムの単層からなる場合には、例えば２５μｍ〜１２０μｍであり、好ましくは３０μｍ〜１００μｍである。また、ポリエチレンテレフタレートフィルムを使用することも好ましく、その場合、厚さは３５〜７５μｍとすることが好ましい。
【００２７】
蓋用ラベル７のラベル基材は、透明であってもよいし不透明であってもよい。合成紙は、通常乳白色の不透明であるため、ラベル基材が合成紙を含む場合には不透明なものとなる。また、プラスチックフィルムは、通常透明であるため、白色ベタ印刷や銀色ベタ印刷を透明なプラスチックフィルムに施すことによって、不透明なラベル基材とすることができる。また、プラスチックフィルムに金属蒸着膜のような不透明な層を積層することによって不透明のラベル基材としてもよい。ラベル基材の表面又は裏面には必要に応じて所望の表示部（印刷層）を印刷により形成する。不透明なラベル基材を用いる場合にはその表面に表示部を設けることになる。
【００２８】
接着剤層は各種の粘着剤により構成され、例えばアクリル系、ゴム系等の感圧型粘着剤を用いることができる。また、感熱性粘着剤を用いてもよい。接着剤層の厚さは、例えば１０〜３０μｍである。接着剤層はラベル基材の裏面の全体に形成されており、該接着剤層の裏面全体のうちの一部にいわゆる「糊殺し」や「糊抑え」とも称されるマスキング層が形成されることによって、蓋用ラベル７の裏面が接着部１６と非接着部１４とに区画される。即ち、マスキング層が形成された部分は、マスキング層が形成されずに残った部分に比して接着力が小さくなる。従って、接着剤層の裏面のうちマスキング層が形成された部分が非接着部１４となり、接着剤層の裏面のうちマスキング層が形成されずに残った部分が接着部１６となる。マスキング層は、マスキング剤を用いて公知の印刷手法によって形成できる。マスキング剤としては、非粘着性であって紫外線により硬化する層を接着剤層の上に形成できるものが好ましく、紫外線硬化型インキ等が使用できる。但し、ラベル基材の裏面全体に接着剤層を形成するのではなく、接着部１６に対応するラベル基材の裏面のみに接着剤層を形成し、非接着部１４に対応するラベル基材の裏面には接着剤層を形成しないようにして、接着部１６と非接着部１４とを区画形成してもよい。
【００２９】
以上のように構成された包装体１の使用形態について説明すると、かかる包装体１は、図示しないケース（外箱）に収容しないでそのまま携帯用等として使用する場合と、ケースに収容して部屋用、詰め替え用等として使用する場合の何れにも適用可能である。包装体１をケースに収容しないでそのまま使用する場合には、図４のように、蓋用ラベル７の開閉部１０を剥離して取り出し口６を開放させる。その際、ストッパー用切り込み線１２が形成されていてその端部近傍に戻り部１２ａが形成されているので、蓋用ラベル７の剥離は途中で確実に停止する。特に、ストッパー用切り込み線１２の端部近傍に戻り部１２ａが形成されているので、開閉部１０の開閉操作を繰り返し行っても、ストッパー用切り込み線１２から亀裂が蓋用ラベル７の他端側に向けて入ったり、ストッパー用切り込み線１２の中途部で開閉部１０が破断したりするということも防止される。
【００３０】
一方、包装体１をケースに収容して使用する場合には、包装体１をケースに収容しないでそのまま使用する場合と同様に、蓋用ラベル７を一端側から他端側に向けて剥離していく。蓋用ラベル７にはストッパー用切り込み線１２が形成されていてその端部近傍には戻り部１２ａが設けられているので、開閉部１０の剥離はその剥離方向の終端で一旦停止する。そして、続けてそこから更に力を入れて開閉部１０を強く剥離方向に引っ張ると、開閉部１０のみならず支持部１１の一部まで剥離し始める。その結果、支持部１１の剥離部分が戻り部１２ａまで達して、やがて切離線３０の始点３０ａまで剥離部分が到達すると、切離線３０は戻り部１２ａ側から切離し始めて、やがて蓋用ラベル７の他端側の縁部まで完全に切離する。詳細には、切離線３０の複数の切断部３１のうちで最も始点３０ａ側に位置する切断部３１の誘導部３２から二番目の切断部３１へと破断ラインが走り、続けて、二番目の切断部３１の誘導部３２から三番目の切断部３１へと破断ラインが走り、更に、三番目の切断部３１の誘導部３２から四番目の切断部３１へと破断ラインが走って、蓋用ラベル７は、支持部１１のうち切離線３０の外側に位置する部分のみを残して包装体１から分離する。即ち、支持部１１のうち両切離線３０の間に位置する中央部分１１ａが開閉部１０と一体となって包装体１から分離する一方、支持部１１のうち両切離線３０よりも外側に位置する一対の外側部分１１ｂは包装体１にそのまま貼着された状態で残る。換言すれば、支持部１１のうち両切離線３０の間に位置する中央部分１１ａは開閉部１０と共に包装体１から剥離除去される剥離除去部分であり、支持部１１のうち両切離線３０よりも外側に位置する一対の外側部分１１ｂは包装体１に貼着状態のまま残る残存部分である。
【００３１】
このように、包装体１をケースに収容して使用する場合においても、包装体１をケースに収容せずにそのまま使用する場合と同じ方向に剥離操作すればよく、操作がシンプルであって理解しやすい。即ち、使用者は、ケースの使用の有無によらず常に一方向に蓋用ラベル７を剥離すればよく、使用に際して剥離する向きを気にする必要がない。しかも、切離線３０がストッパー用切り込み線１２の戻り部１２ａから延びているので、包装体１をケースに入れずにそのまま使用する場合において不用意に切離線３０が切離するおそれがない。即ち、仮に切離線３０がストッパー用切り込み線１２の順路部に形成されていると、開閉部１０の開閉操作中に切離線３０が切離し始める可能性がある。一方、ストッパー用切り込み線１２の最下流点２０よりも終点側に切離線３０が位置している、即ち、切離線３０の始点３０ａが戻り部１２ａ又は戻り部１２ａから若干離れた箇所から延びていると、開閉部１０の通常の開閉操作においてはストッパー用切り込み線１２の最下流点２０よりも終点側まで剥離が進まないため、切離線３０の切離を防止することができるのである。
【００３２】
尚、本実施形態では、切離線３０が合計四つの切断部３１を有する構成であったが、切断部３１の個数や切離線３０の長さは任意であって、例えば、図６のように比較的短い切離線３０であってもよく、切断部３１が二つであってもよい。
【００３３】
また、開閉部１０の剥離方向の終端近傍に、他の部分よりも接着力が相対的に小さい弱接着部１７を設けることも好ましい。弱接着部１７の形状や構成は種々のものであってよいが、例えば、図６のように開閉部１０の終端近傍の全幅に亘って帯状に形成することができる。その他、弱接着部１７を単一あるいは複数の島状に形成してもよい。弱接着部１７は他の部分よりも接着力が小さければよいが、代表的には、上述した非接着部１４とすることができ、例えば接着層の裏面にマスキング層を積層することにより、摘み部１３における非接着部１４と共に同一工程で形成できる。
【００３４】
また更に、切離線３０のミシン目形状も種々のものであってよく、例えば、図７のように、上述したような誘導部３２を設けない切断部３１の構成としてもよい。この図７のように切断部３１が折れ曲がり部分のない一直線状のものであっても、図８に矢印付きの二点鎖線で示しているように個々の切断部３１の終点から蓋用ラベル７の剥離方向に沿って仮想線３３を引いたとき、その仮想線３３が次の切断部３１と交わるような配置になっていると、蓋用ラベル７の破断ラインが次の切断部３１に確実に到達できる。
【００３５】
また、切断部３１は曲線状であってもよく、例えば、図９のように略Ｓ字状に湾曲した切断部３１としてもよい。更に、図１０のように、切断部３１の終点に誘導部３２を備えると共に始点にも誘導部３２を備えて、全体として略Ｚ字状に折れ曲がった形状としてもよい。
【００３６】
また更に、ストッパー用切り込み線１２の形状や配置等も種々変更可能であって、上述したように蓋用ラベル７の両側縁からそれぞれ内側に延びる形状の他、例えば、蓋用ラベル７の側縁から内側に離れた位置に形成するようにしてもよい。蓋用ラベル７の面内にストッパー用切り込み線１２を形成する構成も種々あるが、例えば、図１１のように、支持部１１側から開閉部１０側に向けて突出する突片部を形成するようにストッパー用切り込み線１２を形成してもよい。このストッパー用切り込み線１２は、蓋用ラベル７の他端側を両端として蓋用ラベル７の他端側に開口する半円状あるいはＵ字状に形成された主部２６（順路部）を備えると共に、その両端に戻り部１２ａを備え、戻り部１２ａは、主部２６の内側に周り込むように形成されている。そして、両戻り部１２ａから蓋用ラベル７の他端側の縁部までそれぞれ切離線３０が形成されている。かかる蓋用ラベル７を使用した包装体１においてそれをケースに入れて使用する場合には、開閉部１０の剥離がストッパー用切り込み線１２によって一旦停止した後、更に力を入れて開閉部１０を引っ張ることで二本の切離線３０が破断して、包装体１には、支持部１１の一部（ストッパー用切り込み線１２と切離線３０と蓋用ラベル７の他端側の縁部によって囲まれた領域１１ｂ）が残存部分として島状に残り、支持部１１の他の部分１１ａは剥離除去部分として開閉部１０と共に包装体１から剥離除去される。尚、図１１のような形状のストッパー用切り込み線１２を蓋用ラベル７の幅方向に間隔をあけて複数形成してもよい。
【００３７】
また、図１２のように、蓋用ラベル７の周縁部を支持部１１から構成し、その内側に開閉部１０が位置する構成としてもよい。蓋用ラベル７の面内に、蓋用ラベル７の他端側に開口するＵ字状あるいはコの字状のストッパー用切り込み線１２を形成する。即ち、ストッパー用切り込み線１２は、蓋用ラベル７の他端側に開口するＵ字状あるいはコの字状の主部２６（順路部）を備え、その主部２６の両端にそれぞれ外向きに延びる戻り部１２ａを備える。このようにストッパー用切り込み線１２を形成することにより、その外側が支持部１１となり、内側が開閉部１０となって、開閉部１０は蓋用ラベル７の一端側を始端とし他端側を終端として剥離される。該開閉部１０の剥離方向の始端には摘み部１３が突設され、その摘み部１３もストッパー用切り込み線１２によって区画形成される。かかる蓋用ラベル７を使用した包装体１においてそれをケースに入れて使用する場合、支持部１１のうち開閉部１０の外側に位置する部分１１ｂが包装体１に残存部分として残り、両切離線３０の内側に位置する部分１１ａは剥離除去部分として開閉部１０と共に包装体１から剥離除去される。
【符号の説明】
【００３８】
１    包装体
２    上面
３    短辺側の側面
４    長辺側の側面
５    横シール部
６    取り出し口
７    蓋用ラベル
１０    開閉部
１１    支持部
１１ａ  中央部分（剥離除去部分）
１１ｂ  外側部分（残存部分）
１２    ストッパー用切り込み線
１２ａ  戻り部
１３    摘み部
１４    非接着部
１５    仮想線（境界線）
１６    接着部
１７    弱接着部
２０    最下流点
２１    傾斜状部
２２    第一の直線状部
２３    第一の弧状部
２４    第二の弧状部
２５    第二の直線状部
２６    主部（順路部）
３０    切離線
３０ａ  始点
３０ｂ  終点
３１    切断部
３２    誘導部
３３    仮想線
Ａ    剥離方向
【図１】
0006566621.tif 000002
【図２】
0006566621.tif 000003
【図３】
0006566621.tif 000004
【図４】
0006566621.tif 000005
【図５】
0006566621.tif 000006
【図６】
0006566621.tif 000007
【図７】
0006566621.tif 000008
【図８】
0006566621.tif 000009
【図９】
0006566621.tif 000010
【図１０】
0006566621.tif 000011
【図１１】
0006566621.tif 000012
【図１２】
0006566621.tif 000013